(57)【特許請求の範囲】
【請求項１】
物体側から順に、負の屈折力を有した第１レンズ群Ｇ１、負の屈折力を有した第２レンズ群Ｇ２、開口絞りＳを含む正の屈折力を有した第３レンズ群Ｇ３より構成され、無限遠から近距離へのフォーカシングに際して前記第２レンズ群Ｇ２を光軸に沿って物体側へ移動し、前記第１レンズ群Ｇ１は、物体側に凸面を向けた２枚の負メニスカスレンズからなる構成となっている、以下の条件式を満足することを特徴とする結像光学系。
（１）      ｖｄＬＡ＞８０．０
（２）      ０．８０＜｜ｆ１２／ｆ｜＜１．４０
ｖｄＬＡ：前記第１レンズ群Ｇ１を構成する負メニスカスレンズのｄ線に対するアッベ数の最大値
ｆ１２  ：前記第１レンズ群Ｇ１と前記第２レンズ群Ｇ２の無限遠時の合成焦点距離
ｆ      ：レンズ全系での無限遠時の焦点距離
【請求項２】
前記第２レンズ群Ｇ２は、単レンズ又は１組のユニットで構成される、請求項１に記載の結像光学系。
【発明の詳細な説明】
【技術分野】
【０００１】
本発明はデジタルカメラ、ビデオカメラなどに用いられる撮影レンズに好適な結像光学系に関する。
【背景技術】
【０００２】
従来より、レンズ交換式の撮影装置においては、光学ファインダーを有していることが一般的であった。故に、結像光学系と撮像素子との間にファインダー光学系へ光線を導くためのミラーを配置する必要があるため長いバックフォーカスが必要である。そのため、広角レンズにおいては、特許文献１に記載のように焦点距離よりも長いバックフォーカスが確保できる、レトロフォーカスタイプとすることが一般的である。
【０００３】
しかし、近年において、撮像素子から直接ファインダーへ画像を転送することが可能となる電子式ファインダーを採用したレンズ交換が可能な所謂ミラーレスカメラが登場してきた。ミラーレスカメラは、ファインダー光学系へ光線を導くためのミラーを省くことが可能であるため撮影レンズのバックフォーカスを短くすることが可能となり、広角レンズにおいても、極端なレトロフォーカスタイプにする必要がない。また、焦点距離をより短くすることが可能となる。（例えば、特許文献２が挙げられる。）
【先行技術文献】
【特許文献】
【０００４】
【特許文献１】特開平８−１１０４６７号公報
【特許文献２】特開２０１２−１７３４３５号公報
【発明の概要】
【発明が解決しようとする課題】
【０００５】
レトロフォーカスタイプの結像光学系においては、歪曲収差を良好に補正することが困難であることが知られている。特許文献１に記載の結像光学系は、長いバックフォーカスを確保するため、レトロフォーカスタイプの傾向が強くなっている。そのため、歪曲収差の補正が不十分であるという課題を有している。
【０００６】
特許文献２の結像光学系は、長いバックフォーカスを確保してはいないが、それでも歪曲収差の補正が不十分であり、現状のバックフォーカスを維持したまま焦点距離を短くしようとすれば、レトロフォーカスタイプの傾向を強くしなければならず、さらなる歪曲収差の悪化は避けられないという課題がある。さらに特許文献２の結像光学系は、負の屈折力を有する第１レンズ群が負レンズと正レンズで構成され第１レンズ群のみで色収差を打ち消す効果を持たせているので、第３レンズ群においても第３レンズ群のみで色収差を打ち消す効果をもたせなければならず、色消しのために各正、負レンズの屈折力を強める必要があるため、硝材の選択肢が限られるなど高性能化が困難となる課題があった。
【０００７】
本発明はこのような状況に鑑みてなされたものであり、歪曲収差が極めて少なく、さらには半画角が４３度以上で、バックフォーカスが焦点距離の１．２〜１．４倍程度の光学性能が良好で、迅速なフォーカシングが可能な結像光学系を提供することを目的とする。
【課題を解決するための手段】
【０００８】
上記課題を解決するための手段である第１の発明は、物体側から順に、負の屈折力を有した第１レンズ群Ｇ１、負の屈折力を有した第２レンズ群Ｇ２、開口絞りＳを含む正の屈折力を有した第３レンズ群Ｇ３より構成され、無限遠から近距離へのフォーカシングに際して前記第２レンズ群Ｇ２を光軸に沿って物体側へ移動し、前記第１レンズ群Ｇ１は、物体側に凸面を向けた２枚の負メニスカスレンズからなる構成となっている、以下の条件式を満足することを特徴とする結像光学系。
（１）      ｖｄＬＡ＞８０．０
（２）      ０．８０＜｜ｆ１２／ｆ｜＜１．４０
ｖｄＬＡ：前記第１レンズ群Ｇ１を構成する負メニスカスレンズのｄ線に対するアッベ数の最大値
ｆ１２  ：前記第１レンズ群Ｇ１と前記第２レンズ群Ｇ２の無限遠時の合成焦点距離
ｆ      ：レンズ全系での無限遠時の焦点距離
【０００９】
また、上述の課題を解決するための手段である第２の発明は、第１の発明である結像光学系であって、さらに前記第２レンズ群Ｇ２は、単レンズ又は１組のユニットで構成される結像光学系である。
【発明の効果】
【００１２】
本発明によれば、歪曲収差が極めて少なく、さらには半画角が４３度以上で、バックフォーカスが焦点距離の１．２〜１．４倍程度の光学性能が良好で、迅速なフォーカシングが可能な結像光学系を提供することができる。
【図面の簡単な説明】
【００１３】
【図１】本発明の結像光学系の実施例１に係る無限遠におけるレンズ構成図である。
【図２】実施例１の結像光学系の撮影距離無限遠における縦収差図である。
【図３】実施例１の結像光学系の撮影距離２００ｍｍにおける縦収差図である。
【図４】実施例１の結像光学系の撮影距離無限遠における横収差図である。
【図５】実施例１の結像光学系の撮影距離２００ｍｍにおける横収差図である。
【図６】本発明の結像光学系の実施例２に係る無限遠におけるレンズ構成図である。
【図７】実施例２の結像光学系の撮影距離無限遠における縦収差図である。
【図８】実施例２の結像光学系の撮影距離２００ｍｍにおける縦収差図である。
【図９】実施例２の結像光学系の撮影距離無限遠における横収差図である。
【図１０】実施例２の結像光学系の撮影距離２００ｍｍにおける横収差図である。
【図１１】本発明の結像光学系の実施例３に係る無限遠におけるレンズ構成図である。
【図１２】実施例３の結像光学系の撮影距離無限遠における縦収差図である。
【図１３】実施例３の結像光学系の撮影距離２００ｍｍにおける縦収差図である。
【図１４】実施例３の結像光学系の撮影距離無限遠における横収差図である。
【図１５】実施例３の結像光学系の撮影距離２００ｍｍにおける横収差図である。
【図１６】本発明の結像光学系の実施例４に係る無限遠におけるレンズ構成図である。
【図１７】実施例４の結像光学系の撮影距離無限遠における縦収差図である。
【図１８】実施例４の結像光学系の撮影距離２００ｍｍにおける縦収差図である。
【図１９】実施例４の結像光学系の撮影距離無限遠における横収差図である。
【図２０】実施例４の結像光学系の撮影距離２００ｍｍにおける横収差図である。
【発明を実施するための形態】
【００１４】
本発明の結像光学系は、第１の発明として、図１、図６、図１１及び図１６に示す本願発明の実施例のレンズ構成図からわかるように、物体側から順に、負の屈折力を有した第１レンズ群Ｇ１、負の屈折力を有した第２レンズ群Ｇ２、開口絞りＳを含む正の屈折力を有した第３レンズ群Ｇ３より構成され、無限遠から近距離へのフォーカシングに際して前記第２レンズ群Ｇ２を光軸に沿って物体側へ移動する構成となっている、以下の条件式を満足することを特徴とする結像光学系。
（１）      ｖｄＬＡ＞７０．０
（２）      ０．８０＜｜ｆ１２／ｆ｜＜１．４０
ｖｄＬＡ：前記第１レンズ群Ｇ１を構成する負メニスカスレンズのｄ線に対するアッベ数の最大値
ｆ１２  ：前記第１レンズ群Ｇ１と前記第２レンズ群Ｇ２の無限遠時の合成焦点距離
ｆ      ：レンズ全系での無限遠時の焦点距離
【００１５】
始めに第１レンズ群Ｇ１、第２レンズ群Ｇ２、第３レンズ群Ｇ３の屈折力配置について説明する。本発明の結像光学系は、負の屈折力を有した第１レンズ群Ｇ１と、負の屈折力を有した第２レンズ群Ｇ２と、正の屈折力を有した第３レンズ群Ｇ３とからなるレトロフォーカスタイプの屈折力配置とすることで、半画角が４３度以上の広角レンズでありながらレンズ交換式カメラにも対応可能としている。
【００１６】
また、本発明の結像光学系は、第１レンズ群Ｇ１が負の屈折力を有していることから、大きくアンダーに発生する歪曲収差を、第１レンズ群Ｇ１にレンズ中心付近に比べ周辺で屈折力が弱まる負のメニスカス非球面レンズを配置することによって、適正に補正している。
【００１７】
尚、本発明は、無限遠撮影時の歪曲収差を計算式（Ａ）で表す。本発明中では、光軸から最大像高までの歪曲収差Ｄの最大値と最小値の差は１％以内に補正されたものを適正に補正しているとしている。
（Ａ）      Ｄ＝（Ｙ−ｙ０）／ｙ０  ＊  １００  [％]
Ｄ    ：  歪曲収差
Ｙ    ：  実際の像高
ｙ０  ：  理想像高
【００１８】
条件式（１）は、第１レンズ群Ｇ１を構成する負メニスカスレンズのｄ線に対するアッベ数の最大値を規定するものである。第１レンズ群Ｇ１を構成する負メニスカスレンズのｄ線に対するアッベ数の最大値を規定することで、倍率色収差を抑制するための好ましい範囲が規定される。
【００１９】
条件式（１）の下限値を超えると、前記負メニスカスレンズの各波長の屈折率差が大きくなる。つまり分散が大きくなり、倍率色収差を良好に補正することが困難となる。
【００２０】
なお、上述した条件式（１）について、その下限値をさらに８０．０に限定することで、前述の効果をより確実にし、２次スペクトルの色収差補正にも効果的である。
【００２１】
条件式（２）は、前記第１レンズ群Ｇ１と前記第２レンズ群Ｇ２の無限遠時の合成焦点距離ｆ１２とレンズ全系での無限遠時の焦点距離ｆの比率を規定するものである。条件式（２）を満足することで、バックフォーカスの長さと第２レンズ群Ｇ２と第３レンズ群Ｇ３の間隔が適切となりレンズ全長が長くなりすぎることを防ぎつつ適正な歪曲収差を維持することが可能となる。
【００２２】
条件式（２）の上限値を超えると、バックフォーカスが短くなるが、第３レンズ群Ｇ３の焦点距離ｆ３が長くなり、第２レンズ群Ｇ２と第３レンズ群Ｇ３の間隔が長くなるのでレンズ全長の増加を招く。
【００２３】
条件式（２）の下限値を超えると、第１レンズ群Ｇ１と第２レンズ群Ｇ２の合成焦点距離ｆ１２の屈折力が強くなり、歪曲収差の発生が大きくなる。その結果、歪曲収差を補正することが困難となる。
【００２４】
なお、上述した条件式（２）について、その下限値をさらに０．９０に、また、上限値をさらに１．３０に限定することで、より好ましい効果が期待できる。
【００２５】
さらには、上述した条件式（２）について、その下限値をさらに０．９５に、また、上限値をさらに１．１０に限定することで、前述の効果をより確実にすることができる。
【００２６】
また、第２の発明である結像光学系は第１の発明であって、前記第２レンズ群Ｇ２は、単レンズもしくは１組のユニットで構成されることが望ましい。但し、ユニットとは、フォーカシングの際に同一の動きをするレンズ群のことを言う。
【００２７】
前記第２レンズ群Ｇ２は、無限遠から近距離へのフォーカシングに際して光軸に沿って物体側へ移動する構成のため、フォーカス群が軽量であることが望ましい。フォーカス群が軽量であれば、迅速なフォーカシングが可能となるほか、フォーカスレンズを移動させるためのアクチュエータを小さくすることも可能となる。
【００２８】
また、第３の発明である結像光学系は第１又は第２の発明であって、前記第１レンズ群Ｇ１は、物体側に凸面を向けた負メニスカスレンズのみで構成されることが望ましい。
【００２９】
レトロフォーカスタイプの広角レンズの場合、第１レンズ群に入射する軸外光束の光線高は、軸上光束の光線高に比べて非常に高い。それゆえ軸外光束の光線は下方に曲げられる作用を強く受けるので、負の歪曲の発生が大きくなる。そこで軸外光線の第１レンズ群への入射角、および第1レンズ群の偏角が小さくなるようにレンズ形状を考慮すると、第１レンズ群は物体側に凸面を向けた負メニスカスレンズのみで構成されることが最適となり歪曲を初めとする収差の発生を抑えることができ、光学性能に寄与する。
【００３０】
さらに、第４の発明である結像光学系は第１乃至第３のいずれかの発明であって、前記第１レンズ群Ｇ１は、物体側に凸面を向けた２枚の負メニスカスレンズで構成されることが望ましい。
【００３１】
さらに負メニスカスレンズを２枚構成とすることで、軸外光線の第１レンズ群への入射角、および第1レンズ群の偏角をさらに最適にすることで、より歪曲の発生を抑えることができる。また、前記第１レンズ群Ｇ１の負メニスカスレンズより像面側に正レンズを入れて歪曲の発生を小さくすることも可能ではあるが、正レンズに入射する軸外光束の光線高と軸上光束の光線高の差が、負メニスカスレンズに入射する軸外光束の光線高と軸上光束の光線高の差に比べて小さくなるので、正レンズの効果で軸外光束の負の歪曲の発生を小さくした場合、中心付近の光束では負メニスカスレンズの効果よりも正レンズの効果の方が強くなり、中間画角でのみ正の歪曲が大きく発生してしまう。よって歪曲の発生を抑制することが目的で、前記第１レンズ群Ｇ１に正レンズを入れることは好ましくない。
【００３２】
次に、本発明の結像光学系に係る実施例のレンズ構成について説明する。なお、以下の説明ではレンズ構成を物体側から像側の順番で記載する。
【００３３】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線のアッベ数、有効半径は光線高を示している。
【００３４】
面番号に付した＊（アスタリスク）は、そのレンズ面形状が非球面であることを示している。また、ＢＦはバックフォーカス、物面の距離は被写体からレンズ第１面までの距離を示している。
【００３５】
面番号に付した（絞り）は、その位置に開口絞りＳが位置していることを示し、（フレアカット）は、その位置にフレアカットＦが位置していることを示している。また、平面、開口絞りＳ又はフレアカットＦに対する曲率半径には∞（無限大）を記入している。
【００３６】
［非球面データ］は、［面データ］において＊を付したレンズ面の非球面形状を与える非球面係数を示している。非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をＡ４、Ａ６、Ａ８、Ａ１０と置くとき、非球面の座標が以下の式で表されるものとする。
0006540052.tif 000002
【００３７】
［各種データ］には、各焦点距離状態における焦点距離等の値を示している。
【００３８】
［可変間隔データ］には、各焦点距離状態における可変間隔及びＢＦ（バックフォーカス）の値を示している。
【００３９】
［レンズ群データ］には、各レンズ群を構成する最も物体側の面番号及び群全体の合成焦点距離を示している。
【００４０】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００４１】
さらに、図１、図６、図１１及び図１６に示すレンズ構成図において、Ｉは像面、中心を通る一点鎖線は光軸である。
【００４２】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【実施例１】
【００４３】
図１は、本発明の実施例１の結像光学系のレンズ構成図である。物体側より順に、第１レンズ群Ｇ１、第２レンズ群Ｇ２、第３レンズ群Ｇ３とからなり、第１レンズ群Ｇ１は全体として負の屈折力を有しており、第１レンズ群Ｇ１は物体側に凸面を向けた負メニスカスレンズＬ１ａと物体側に凸面を向けた負メニスカスレンズＬ１ｂとで構成され、負メニスカスレンズＬ１ａの両レンズ面は所定の非球面形状となっている。
【００４４】
第２レンズ群Ｇ２は全体として負の屈折力を有しており、両凹形状の負レンズＬ２ａで構成されている。
【００４５】
第３レンズ群Ｇ３は全体として正の屈折力を有しており、開口絞りＳと、物体側に凸面を向けた負メニスカスレンズＬ３ａと両凸形状の正レンズＬ３ｂとの２枚のレンズからなる接合レンズと、フレアカットＦと、両凸形状の正レンズＬ３ｃと、物体側に凸面を向けた負メニスカスレンズＬ３ｄと両凸形状の正レンズＬ３ｅとの２枚のレンズからなる接合レンズと、両凸形状の正レンズＬ３ｆと物体側に凹面を向けた負メニスカスレンズＬ３ｇとの２枚のレンズからなる接合レンズと、物体側に凹面を向けた負メニスカスレンズＬ３ｈとで構成され、負メニスカスレンズＬ３ｈの像側のレンズ面は所定の非球面形状となっている。
【００４６】
また、前記第２レンズ群Ｇ２は、無限遠から近距離へのフォーカシングに際して光軸に沿って物体側へ移動する。
【００４７】
続いて、以下に実施例１に係る結像光学系の諸元値を示す。
数値実施例１
単位：mm
[面データ]
面番号               r              d          nd             vd
物面                  ∞            (d0)
1*             24.3233        2.0000       1.58913         61.25
2*             10.8623        5.5093
3              20.9206        1.2000       1.49700         81.60
4              11.4711          (d4)
5             -68.6637        1.0000       1.43700         95.10
6             316.0852          (d6)
7(絞り)                ∞        2.6501
8              37.9119        0.8000       1.59282         68.62
9              10.6710        3.8497       1.51680         64.19
10             -36.9412        3.3000
11（フレアカット)         ∞        2.4648
12              22.5426        3.4623       1.43700         95.10
13            -728.6284        3.1921
14             106.0910        2.0067       1.58144         40.89
15              20.7523        5.9354       1.43700         95.10
16             -20.7523        2.5257
17              38.7382        5.5152       1.43700         95.10
18             -15.7572        0.7500       1.88300         40.80
19             -70.3393        2.5105
20             -31.8947        1.1000       1.80610         40.73
21*            -57.6037          (BF)
像面                  ∞
[非球面データ]
1面            2面           21面
K               0.00000       -1.00000        0.00000
A4          -3.75518E-05    5.90593E-07    3.90101E-05
A6           4.36935E-08   -9.34038E-08    2.80426E-08
A8          -5.91274E-11   -3.08947E-11    5.23922E-10
A10          0.00000E+00    0.00000E+00    1.35285E-13
[各種データ]
INF           200mm
焦点距離             13.98          13.28
Fナンバー             3.53           3.54
全画角2ω            90.74          92.90
像高Y              14.20          14.20
レンズ全長            89.25          89.25
[可変間隔データ]
INF           200mm
d0                            110.7500
d4              17.5523        13.0242
d6               4.3541         8.8822
BF              17.5750        17.5750
[レンズ群データ]
群             始面            焦点距離
G1              1               -19.82
G2              5              -128.98
G12             1               -15.13
G3              7                20.57
【実施例２】
【００４８】
図６は、本発明の実施例２の結像光学系のレンズ構成図である。物体側より順に、第１レンズ群Ｇ１、第２レンズ群Ｇ２、第３レンズ群Ｇ３とからなり、第１レンズ群Ｇ１は全体として負の屈折力を有しており、第１レンズ群Ｇ１は物体側に凸面を向けた負メニスカスレンズＬ１ａと物体側に凸面を向けた負メニスカスレンズＬ１ｂとで構成され、負メニスカスレンズＬ１ａの両レンズ面は所定の非球面形状となっている。
【００４９】
第２レンズ群Ｇ２は全体として負の屈折力を有しており、両凹形状の負レンズＬ２ａで構成されている。
【００５０】
第３レンズ群Ｇ３は全体として正の屈折力を有しており、開口絞りＳと、物体側に凸面を向けた負メニスカスレンズＬ３ａと両凸形状の正レンズＬ３ｂとの２枚のレンズからなる接合レンズと、フレアカットＦと、物体側に凸面を向けた正メニスカスレンズＬ３ｃと、物体側に凸面を向けた負メニスカスレンズＬ３ｄと両凸形状の正レンズＬ３ｅとの２枚のレンズからなる接合レンズと、両凸形状の正レンズＬ３ｆと物体側に凹面を向けた負メニスカスレンズＬ３ｇとの２枚のレンズからなる接合レンズと、物体側に凹面を向けた負メニスカスレンズＬ３ｈとで構成され、負メニスカスレンズＬ３ｈの像側のレンズ面は所定の非球面形状となっている。
【００５１】
また、前記第２レンズ群Ｇ２は、無限遠から近距離へのフォーカシングに際して光軸に沿って物体側へ移動する。
【００５２】
続いて、以下に実施例２に係る結像光学系の諸元値を示す。
数値実施例２
単位：mm
[面データ]
面番号               r              d          nd             vd
物面                 ∞          (d0)
1*             23.0837        2.0000       1.58313         59.46
2*              9.0102        3.1875
3              16.1661        1.2000       1.49700         81.60
4              10.5125          (d4)
5            -200.0000        1.0000       1.43700         95.10
6              77.0673          (d6)
7(絞り)                ∞        2.6974
8              33.1050        0.8000       1.59282         68.62
9               9.9000        3.5521       1.51680         64.19
10             -29.6381        3.3000
11（フレアカット)         ∞        1.4753
12              18.5751        3.1373       1.43700         95.10
13             202.4366        3.3777
14              68.6065        1.4048       1.83481         42.72
15              18.8114        4.7258       1.43700         95.10
16             -18.8114        2.6357
17              40.1618        4.7212       1.43700         95.10
18             -15.6140        0.7500       1.88300         40.80
19             -62.2753        2.5693
20             -27.7936        1.1000       1.80610         40.73
21*            -47.8074          (BF)
像面                  ∞
[非球面データ]
1面            2面           21面
K               0.00000       -1.00000        0.00000
A4          -3.96887E-05    3.35668E-05    4.27783E-05
A6           2.94290E-08   -1.00793E-07    8.80624E-08
A8          -5.15347E-11   -1.13985E-09    3.92712E-10
A10          0.00000E+00    0.00000E+00    2.22145E-12
[各種データ]
INF           200mm
焦点距離             13.97          13.28
Fナンバー             4.13           4.13
全画角2ω            90.90          92.68
像高Y              14.20          14.20
レンズ全長            82.60          82.60
[可変間隔データ]
INF           200mm
d0                            117.4043
d4              16.7970        12.9201
d6               4.4772         8.3541
BF              17.6874        17.6874
[レンズ群データ]
群             始面            焦点距離
G1              1               -18.01
G2              5              -127.16
G12             1               -13.96
G3              7                19.33
【実施例３】
【００５３】
図１１は、本発明の実施例３の結像光学系のレンズ構成図である。物体側より順に、第１レンズ群Ｇ１、第２レンズ群Ｇ２、第３レンズ群Ｇ３とからなり、第１レンズ群Ｇ１は全体として負の屈折力を有しており、第１レンズ群Ｇ１は物体側に凸面を向けた負メニスカスレンズＬ１ａと物体側に凸面を向けた負メニスカスレンズＬ１ｂとで構成され、負メニスカスレンズＬ１ａの両レンズ面は所定の非球面形状となっている。
【００５４】
第２レンズ群Ｇ２は全体として負の屈折力を有しており、物体側に凹面を向けた負メニスカスレンズＬ２ａで構成されている。
【００５５】
第３レンズ群Ｇ３は全体として正の屈折力を有しており、フレアカットＦと、開口絞りＳと、物体側に凸面を向けた負メニスカスレンズＬ３ａと両凸形状の正レンズＬ３ｂとの２枚のレンズからなる接合レンズと、物体側に凹面を向けた正メニスカスレンズＬ３ｃと、物体側に凸面を向けた負メニスカスレンズＬ３ｄと両凸形状の正レンズＬ３ｅとの２枚のレンズからなる接合レンズと、物体側に凹面を向けた正メニスカスレンズＬ３ｆと物体側に凹面を向けた負メニスカスレンズＬ３ｇとの２枚のレンズからなる接合レンズとで構成され、両凸形状の正レンズＬ３ｂの像側のレンズ面は所定の非球面形状となっている。
【００５６】
また、前記第２レンズ群Ｇ２は、無限遠から近距離へのフォーカシングに際して光軸に沿って物体側へ移動する。
【００５７】
続いて、以下に実施例３に係る結像光学系の諸元値を示す。
数値実施例３
単位：mm
[面データ]
面番号               r              d          nd             vd
物面                 ∞          (d0)
1*             23.0082        2.0000       1.58913         61.25
2*             10.5500        3.5667
3              20.5747        1.2000       1.49700         81.60
4              11.2177          (d4)
5             -48.2096        0.8000       1.49700         81.60
6            -643.3350          (d6)
7（フレアカット)          ∞        3.7000
8(絞り)               ∞        0.8327
9              16.4396        1.5000       1.77250         49.62
10              12.2389        2.7713       1.59201         67.02
11*           -129.3729        4.2553
12             -68.5672        2.4013       1.72916         54.67
13             -18.8724        2.6683
14             104.2574        0.8500       1.88300         40.80
15              13.9002        4.3051       1.43700         95.10
16             -29.9419        4.2847
17            -229.8410        5.1989       1.43700         95.10
18             -11.2967        0.8500       1.80611         40.73
19             -28.7754          (BF)
像面                  ∞
[非球面データ]
1面            2面           11面
K               0.00000       -1.00000        0.00000
A4           6.16610E-06    6.15401E-05    9.16687E-05
A6          -1.46961E-07   -1.04199E-07    9.47152E-09
A8           3.79843E-10   -1.18186E-09    3.67952E-09
A10         -5.81863E-13    0.00000E+00    0.00000E+00
A12
[各種データ]
INF           200mm
焦点距離             14.07          13.46
Fナンバー             3.97           3.97
全画角2ω            90.50          91.83
像高Y              14.20          14.20
レンズ全長            82.08          82.08
[可変間隔データ]
INF           200mm
d0                            117.9197
d4              11.9058         7.5487
d6              10.3918        14.7490
BF              18.5984        18.5984
[レンズ群データ]
群             始面            焦点距離
G1              1               -19.97
G2              5              -104.91
G12             1               -15.16
G3              7                20.48
【実施例４】
【００５８】
図１６は、本発明の実施例４の結像光学系のレンズ構成図である。物体側より順に、第１レンズ群Ｇ１、第２レンズ群Ｇ２、第３レンズ群Ｇ３とからなり、第１レンズ群Ｇ１は全体として負の屈折力を有しており、第１レンズ群Ｇ１は物体側に凸面を向けた負メニスカスレンズＬ１ａと物体側に凸面を向けた負メニスカスレンズＬ１ｂとで構成され、負メニスカスレンズＬ１ａの両レンズ面は所定の非球面形状となっている。
【００５９】
第２レンズ群Ｇ２は全体として負の屈折力を有しており、物体側に凹面を向けた正メニスカスレンズＬ２ａと両凹形状の負レンズＬ２ｂとの２枚のレンズからなる接合レンズで構成されている。
【００６０】
第３レンズ群Ｇ３は全体として正の屈折力を有しており、開口絞りＳと、物体側に凸面を向けた負メニスカスレンズＬ３ａと両凸形状の正レンズＬ３ｂとの２枚のレンズからなる接合レンズと、フレアカットＦと、両凸形状の正レンズＬ３ｃと、物体側に凸面を向けた負メニスカスレンズＬ３ｄと両凸形状の正レンズＬ３ｅとの２枚のレンズからなる接合レンズと、両凸形状の正レンズＬ３ｆと物体側に凹面を向けた負メニスカスレンズＬ３ｇとの２枚のレンズからなる接合レンズと、物体側に凹面を向けた負メニスカスレンズＬ３ｈとで構成され、負メニスカスレンズＬ３ｈの像側のレンズ面は所定の非球面形状となっている。
【００６１】
また、前記第２レンズ群Ｇ２は、無限遠から近距離へのフォーカシングに際して光軸に沿って物体側へ移動する。
【００６２】
続いて、以下に実施例４に係る結像光学系の諸元値を示す。
数値実施例４
単位：mm
[面データ]
面番号              r              d           nd             vd
物面                 ∞          (d0)
1*             24.4914        2.0000       1.58313         59.46
2*             10.1923        5.0443
3              20.5045        1.2000       1.49700         81.60
4              11.1542          (d4)
5            -163.0811        1.2922       1.83481         42.72
6             -70.0000        0.8000       1.49700         81.60
7              80.2887          (d7)
8(絞り)                ∞        1.1651
9              31.5920        0.8000       1.59282         68.62
10              10.9270        3.4846       1.48749         70.44
11             -31.9827        3.3000
12（フレアカット)          ∞        4.6359
13              23.7463        3.6743       1.43700         95.10
14             -97.6865        2.8555
15             132.4828        0.7500       1.83481         42.72
16              28.9897        4.8214       1.43700         95.10
17             -20.7481        3.6788
18              36.5138        5.5079       1.43700         95.10
19             -15.7784        0.7500       1.88300         40.80
20             -70.9689        2.6458
21             -32.6440        1.1000       1.80610         40.73
22*            -60.9047          (BF)
像面                  ∞
[非球面データ]
1面            2面           22面
K               0.00000       -1.00000        0.00000
A4          -3.88749E-05    7.20337E-06    3.61522E-05
A6           4.44487E-08   -1.17461E-07    4.09738E-08
A8          -6.25055E-11   -2.24384E-10    3.21264E-10
A10          0.00000E+00    0.00000E+00    5.62204E-13
A12
[各種データ]
INF           200mm
焦点距離             13.97          13.28
Fナンバー             3.99           3.99
全画角2ω            90.89          92.62
像高Y              14.20          14.20
レンズ全長            89.15          89.15
[可変間隔データ]
INF           200mm
d0                            110.8529
d4              17.8172        12.9513
d7               4.4872         9.3531
BF              17.3369        17.3369
[レンズ群データ]
群            始面             焦点距離
G1              1               -18.25
G2              5              -154.10
G12             1               -14.55
G3              7                20.56
【００６３】
また、これらの各実施例における条件式の対応値一覧を示す。
【００６４】
[条件式対応値]
条件式／実施例         1     2     3     4  
(1)    vdLA＞70.0          81.6  81.6  81.6  81.6
(2) 0.80＜|f12/f|＜1.40    1.08  1.00  1.08  1.04
【符号の説明】
【００６５】
Ｇ１      第１レンズ群
Ｇ２      第２レンズ群
Ｇ３      第３レンズ群
Ｇ１２    第１レンズ群と第２レンズ群の合成
Ｓ        開口絞り
Ｆ        フレアカット
【図１】
0006540052.tif 000003
【図２】
0006540052.tif 000004
【図３】
0006540052.tif 000005
【図４】
0006540052.tif 000006
【図５】
0006540052.tif 000007
【図６】
0006540052.tif 000008
【図７】
0006540052.tif 000009
【図８】
0006540052.tif 000010
【図９】
0006540052.tif 000011
【図１０】
0006540052.tif 000012
【図１１】
0006540052.tif 000013
【図１２】
0006540052.tif 000014
【図１３】
0006540052.tif 000015
【図１４】
0006540052.tif 000016
【図１５】
0006540052.tif 000017
【図１６】
0006540052.tif 000018
【図１７】
0006540052.tif 000019
【図１８】
0006540052.tif 000020
【図１９】
0006540052.tif 000021
【図２０】
0006540052.tif 000022